(57)【要約】      （修正有）【課題】歯車等の回転体において、歯厚方向に関する強度を従来よりも向上させた歯元の丸み形状を提供する。【解決手段】回転体である歯車において歯車の側面は、歯すじに直角な断面に関し、直線または曲線に形成されるかみ合い歯面（３２）と、窪み曲線に形成されるすみ肉表面（３４）と、境界部分（３３）を含み、すみ肉表面のうち境界部分（３３）に隣接する部分の接線（Ｌｃ）が、かみ合い歯面のうち境界部分に隣接する接線（Ｌｒ）に対し、＋５度以上＋８５度以下の範囲に含まれる所定角度（α）で広がるように配置される。【選択図】図４
2018035873.tif 000002
【特許請求の範囲】
【請求項１】
回転中心を有する基部と、前記基部に立設されて回転方向に対し不平行に延びる突条とを備え、
前記突条の側面は、前記基部の回転時に固体または流体と当接する先端側表面と、前記基部と接続する根元側表面と、前記先端側表面および前記根元側表面を接続する境界部分とを含み、
前記突条の長手方向に直角な断面に関し、前記先端側表面は直線または曲線に形成され、前記根元側表面は窪み曲線に形成され、前記根元側表面のうち前記境界部分に隣接する部分に規定される接線であって前記基部へ延びる根元側接線が、前記先端側表面のうち前記境界部分に隣接する部分に規定される接線であって前記基部へ延びる先端側接線に対し、＋５度以上＋８５度以下の範囲に含まれる所定角度で広がるように配置される、回転体。
【請求項２】
前記回転体は歯車であり、
前記突条は歯であり、
前記固体は相手側の歯車であり、
歯すじに直角な断面に関し、前記歯の側面は、直線または曲線に形成されるかみ合い歯面と、窪み曲線に形成されるすみ肉表面と、前記かみ合い歯面および前記すみ肉表面を接続する境界部分とを含み、前記すみ肉表面のうち前記境界部分に隣接する部分に規定される接線であって前記歯車の歯底側へ延びるすみ肉側接線が、前記かみ合い歯面のうち前記境界部分に隣接する部分に規定される接線であって前記歯車の歯底側へ延びるかみ合い側接線に対し、＋５度以上＋８５度以下の範囲に含まれる所定角度で広がるように配置される、請求項１に記載の回転体。
【請求項３】
歯すじに直角な断面に関し、前記すみ肉側接線が、前記かみ合い側接線に対し、＋１０度以上＋２５度以下の範囲に含まれる所定角度で広がるように配置される、請求項２に記載の回転体。
【請求項４】
歯すじに直角な断面に関し、前記噛み合い歯面は膨らみ曲線に形成される、請求項２または３に記載の回転体。
【請求項５】
歯すじに直角な断面に関し、前記すみ肉表面の曲率半径は歯底に向かう程大きくなるか、あるいは一定である、請求項２〜４のいずれかに記載の回転体。
【請求項６】
前記歯車はかさ歯車である、請求項２〜５のいずれかに記載の回転体。
【請求項７】
歯すじに直角な断面に関し、前記すみ肉表面における窪み曲線の曲率は、歯すじ方向に変化する、請求項６に記載の回転体。
【請求項８】
請求項６または７に記載の回転体を備える、ディファレンシャルギヤ装置。
【請求項９】
前記回転体はスプライン軸およびスプライン孔のいずれか一方であり、
前記突条はスプラインの歯であり、
前記固体は相手側のスプライン孔あるいはスプライン軸であり、
歯すじに直角な断面に関し、前記歯の側面は、直線または曲線に形成されるかみ合い歯面と、窪み曲線に形成されるすみ肉表面と、前記かみ合い歯面および前記すみ肉表面を接続する境界部分とを含み、前記すみ肉表面のうち前記境界部分に隣接する部分に規定される接線であって前記スプラインの歯底側へ延びるすみ肉側接線が、前記かみ合い歯面のうち前記境界部分に隣接する部分に規定される接線であって前記スプラインの歯底側へ延びるかみ合い側接線に対し、＋５度以上＋８５度以下の範囲に含まれる所定角度で広がるように配置される、請求項１に記載の回転体。
【請求項１０】
前記回転体は羽根車であり、
前記突条は前記流体に当接する羽根であり、
羽根すじに直角な断面に関し、前記羽根の側面は、直線または曲線に形成される先端側羽根面と、窪み曲線に形成される根元側羽根面と、前記先端側羽根面および前記根元側羽根面を接続する境界部分とを含み、前記根元側羽根面のうち前記境界部分に隣接する部分に規定される接線であって前記羽根車の根元側へ延びる根元側接線が、前記先端側羽根面のうち前記境界部分に隣接する部分に規定される接線であって前記羽根車の根元側へ延びる先端側接線に対し、＋５度以上＋８５度以下の範囲に含まれる所定角度で広がるように配置される、請求項１に記載の回転体。
【請求項１１】
前記羽根車はタービンまたはインペラであり、前記羽根すじは羽根車の回転軸線を中心としてらせん状に延びる、請求項１０に記載の回転体。
【発明の詳細な説明】
【技術分野】
【０００１】
本発明は、歯車やスプラインや羽根車等、回転体の形状に関する。
【背景技術】
【０００２】
歯車の歯元の丸みを表す形状として従来、例えば、特開２００３−９０４１３号公報（特許文献１）および特開２０１３−２３８２９９号公報（特許文献２）に記載のものが知られている。特許文献１および特許文献２に記載の歯車は、歯底のすみ肉半径を円弧にするというものである。
【先行技術文献】
【特許文献】
【０００３】
【特許文献１】特開２００３−９０４１３号公報
【特許文献２】特開２０１３−２３８２９９号公報
【発明の概要】
【発明が解決しようとする課題】
【０００４】
しかし、上記従来のような歯車にあっては、さらに改善すべき点があることを本発明者は見いだした。図１２は歯すじに直角な断面図であり、従来の歯元の丸み形状を示す。すなわち歯すじに直角な断面に関し、歯先側歯面１０１および歯元側歯面１０２が規則的に連続して延びる。また歯元側歯面１０２よりも歯底（根元）側にある歯底面１０３が、所定半径Ｒｆを有する円弧状に形成されていた。歯先側歯面１０１および歯元側歯面１０２はかみ合い歯面と総称される。歯底面１０３はすみ肉表面ともいう。歯元側歯面１０２と歯底面１０３の境界部分１０４において、歯元側歯面１０２と歯底面１０３は滑らかに接続する。換言すると歯すじに直角な断面に関し、歯元側歯面１０２のうち境界部分１０４に隣接する部分に規定されるかみ合い側接線と、歯底面１０３のうち境界部分１０４に隣接する部分に規定されるすみ肉側接線は一致するか、略０度で交差するか、略平行である。
【０００５】
ところで歯車同士のかみ合い時に相手側から歯に付与される周方向の力に関し、所望の強度を確保しようとすれば、歯厚Ｔｃを大きくするしかない。
【０００６】
その一方で、省エネルギー指向の強い昨今、歯車のピッチ円径を小さくしたり、あるいは歯数を減らしたり、等によって歯車を小型化あるいは軽量化することが望ましい。
【０００７】
しかしながら歯厚を大きくすることと歯車を小型化あるいは軽量化することは、両立困難である。
【０００８】
また歯を有する歯車の他、歯を有するスプラインや、羽根を有する羽根車といった回転体において、歯および羽根の厚み寸法を大きくして強度を向上させることが耐久性に寄与する一方、回転体の径を小さくすることが省エネルギー化に寄与する。しかしながら両立困難である。
【０００９】
本発明は、上述の実情に鑑み、従来よりも歯の強度を向上させた歯車の歯元の丸み形状を提供することを目的とする。また歯車を含む回転体において、強度の向上と軽量化を両立させることを目的とする。
【課題を解決するための手段】
【００１０】
この目的のため本発明による回転体は、回転中心を有する基部と、基部に立設されて回転方向に対し不平行に延びる突条とを備え、突条の側面は、基部の回転時に固体または流体と当接する先端側表面と、基部と接続する根元側表面と、先端側表面および根元側表面を接続する境界部分とを含み、突条の長手方向に直角な断面に関し、先端側表面は直線または曲線に形成され、根元側表面は窪み曲線に形成され、根元側表面のうち境界部分に隣接する部分に規定される接線であって基部へ延びる根元側接線が、先端側表面のうち境界部分に隣接する部分に規定される接線であって基部へ延びる先端側接線に対し、＋５度以上＋８５度以下の範囲に含まれる所定角度で広がるように配置される。
【００１１】
かかる本発明によれば、突条の根元側の厚み寸法を従来よりも大きくすることが可能になり、突条が固体あるいは流体と当接する時に厚み方向に突条に作用する外力（曲げモーメントや剪断力）に対して突条の強度を大きくすることができる。そして従来の歯車と比較して、歯車の小型化あるいは軽量化を図ることができる。なお突条の長手方向とは、長手方向の長さの大小にかかわらず突条が延びる方向をいうと理解されたい。突条が延びる方向の長さ（長手方向長さ）は通常、突条の両側面間の厚み寸法よりも長いが、突条の長手方向長さが厚み寸法よりも短い場合であっても、突条が延びる方向を長手方向というと理解されたい。曲線とは円弧のように曲率半径一定の曲線であってもよいし、あるいはインボリュート曲線等であってもよいし、あるいは他の自由曲線であってもよい。回転体は、相手歯車と当接する歯車、あるいは歯車以外の他の固体と当接する歯車形状の物、あるいはポンプやインペラのように流体に当接してこれを駆動する羽根車、あるいはタービンのように流体に当接して駆動される羽根車、あるいは他の回転する物を含む。流体は液体、気体、紛体を含む不定形の物質を指す。
【００１２】
本発明の一実施形態として、回転体は歯車であり、突条は歯であり、突条に当接する固体は相手側の歯車であり、歯すじに直角な断面に関し、歯の側面は、直線または曲線に形成されるかみ合い歯面と、窪み曲線に形成されるすみ肉表面と、かみ合い歯面およびすみ肉表面を接続する境界部分とを含み、すみ肉表面のうち境界部分に隣接する部分に規定される接線であって歯車の歯底側へ延びる歯溝側接線が、かみ合い歯面のうち境界部分に隣接する部分に規定される接線であって歯車の歯底側へ延びるかみ合い側接線に対し、＋５度以上＋８５度以下の範囲に含まれる所定角度で広がるように配置される。
【００１３】
かかる実施形態の歯車によれば、すみ肉表面が従来と異なる歯元の丸み形状を有することから、歯底側の歯厚を従来よりも大きくすることが可能になり、歯車同士の噛合時に歯厚方向に歯に作用する外力に対して歯の強度を大きくすることができる。したがって、従来の歯車と比較して、歯車の小型化あるいは軽量化を図ることができる。本発明の歯車は特に限定されない。例えば本発明の歯車は平行軸歯車である。あるいは本発明の歯車は食い違い軸歯車である。あるいは本発明の歯車は直交軸歯車である。また本発明の歯車は外歯歯車であってもよいし内歯歯車であってもよい。
【００１４】
より好ましい実施形態として歯すじに直角な断面に関し、すみ肉側接線が、かみ合い側接線に対し、＋１０度以上＋２５度以下の範囲に含まれる所定角度で広がるように配置される。かかる実施形態によれば、強度および耐久性において一層有利な歯車を実現することができる。なお、すみ肉側接線がかみ合い側接線に対し＋１０度未満となってしまう場合、歯底側で歯厚を確保するという点で十分ではない場合がある。また、すみ肉側接線がかみ合い側接線に対し＋２５度を超えてしまう場合、境界部分にエッジが形成されてしまい、歯車の耐久性の確保という点で十分ではない場合がある。
【００１５】
かみ合い歯面は前述のように歯すじに直角な断面に関し直線または曲線に形成されるとよく、曲線の形状は特に限定されない。本発明の一実施形態として、歯すじに直角な断面に関し、噛み合い歯面は膨らみ曲線に形成される。かかる実施形態は外歯歯車に有利に適用される。他の一実施形態として、歯すじに直角な断面に関し、噛み合い歯面は窪み曲線に形成される。かかる実施形態は内歯歯車に有利に適用される。
【００１６】
本発明の好ましい実施形態として歯すじに直角な断面に関し、すみ肉表面の曲率半径は歯底に向かう程大きくなるか、あるいは一定である。かかる実施形態によれば、歯底近傍の歯厚を従来よりも大きくすることができる。したがって歯の強度が向上する。なお曲率半径が歯底に向かう程大きくなる曲線とは、歯底に近づくほど緩やかなカーヴになる曲線をいう。また曲率半径が歯底に向かって一定である曲線とは、半径一定の円弧をいう。歯底が歯車の回転中心と同軸の歯底円を描く場合、すみ肉表面は歯底円と角度をなして接続してもよい。あるいは歯底を介して隣り合う２個の歯に着目して、一方の歯のすみ肉表面および他方の歯のすみ肉表面は、緩やかなカーヴを描きながら歯底で接続し、断面略Ｕ字状の歯溝を構成してもよい。
【００１７】
本発明の好ましい実施形態として歯車はかさ歯車である。かかる実施形態によれば、かさ歯車の小型化・軽量化を図ることができる。かさ歯車の種類は特に限定されない。
【００１８】
かさ歯車の歯すじは、放射状に延びるものであってもよいしらせん状に延びるものであってもよい。かさ歯車の歯の断面形状は通常、小径端で小さく、大径端に向かう程大きくなる。そこで本発明のさらに好ましい実施形態としてすみ肉表面を構成する窪み曲線の曲率は、歯すじ方向に変化する。かかる実施形態によれば、歯すじ方向のいずれかの部位において最も大きな外力が作用する部位の歯厚を大きくし、残りの部位の歯厚と小さくして、歯車の一層の小型化・軽量化を図ることができる。
【００１９】
本発明の歯車は、差動装置や、その他の様々な機械に使用可能である。一実施形態として歯車は、原動機のトルクを左右輪に分配する車両のディファレンシャルギヤ装置に使用されるとよい。かかる実施形態によれば、ディファレンシャルギヤ装置の軽量化および車両の低燃費化を図ることができる。
【００２０】
本発明のかさ歯車はディファレンシャルギヤ装置のギヤおよびピニオンの少なくともいずれかに適用可能である。一実施形態として本発明の歯車は平行軸歯車であってもよい。平歯車の種類は特に限定されない。一実施形態として本発明の歯車は食い違い軸歯車である。一実施形態として本発明の歯車は直交軸歯車である。
【００２１】
本発明の回転体は相手歯車とかみ合う歯車に限定されない。本発明になる歯元の丸み形状は、一実施形態としてスプライン嵌合に適用可能である。つまり回転体はスプライン軸およびスプライン孔のいずれか一方であり、突条はスプラインの歯であり、突条に当接する固体は相手側のスプライン孔あるいはスプライン軸であり、歯すじに直角な断面に関し、歯の側面は、直線または曲線に形成されるかみ合い歯面と、窪み曲線に形成されるすみ肉表面と、かみ合い歯面およびすみ肉表面を接続する境界部分とを含み、すみ肉表面のうち境界部分に隣接する部分に規定される接線であってスプラインの歯底側へ延びるすみ肉側接線が、かみ合い歯面のうち境界部分に隣接する部分に規定される接線であってスプラインの歯底側へ延びるかみ合い側接線に対し、＋５度以上＋８５度以下の範囲に含まれる所定角度で広がるように配置される。
【００２２】
かかる実施形態のスプラインによれば、すみ肉表面が従来と異なる歯元の丸み形状を有することから、歯底側の歯厚を従来よりも大きくすることが可能になり、スプラインの駆動回転時に歯厚方向に歯に作用する外力に対して歯の強度を大きくすることができる。したがって、従来のスプラインと比較して、スプラインの小型化あるいは軽量化を図ることができる。
【００２３】
本発明の回転体は、歯車や、歯車に類似する形状の物に限定されない。本発明になる突条の根元の丸み形状は、一実施形態として羽根車に適用可能である。つまり回転体は羽根車であり、突条は流体に当接する羽根であり、羽根すじ（筋）に直角な断面に関し、羽根の側面は、直線または曲線に形成される先端側羽根面と、窪み曲線に形成される根元側羽根面と、先端側羽根面および根元側羽根面を接続する境界部分とを含み、根元側羽根面のうち境界部分に隣接する部分に規定される接線であって羽根車の根元側へ延びる根元側接線が、先端側羽根面のうち境界部分に隣接する部分に規定される接線であって羽根車の根元側へ延びる先端側接線に対し、＋５度以上＋８５度以下の範囲に含まれる所定角度で広がるように配置される。
【００２４】
かかる実施形態の羽根車によれば、根元側羽根面が従来と異なる根元の丸み形状を有することから、根元側の羽根厚を従来よりも大きくすることが可能になり、羽根車の回転時に羽根厚方向に羽根に作用する外力に対して羽根の強度を大きくすることができる。したがって、従来の羽根車と比較して、羽根車の小型化あるいは軽量化を図ることができる。
【００２５】
本発明にかかる羽根車の種類および形状は特に限定されない。一実施形態として羽根車はタービンまたはインペラであり、羽根すじは羽根車の回転軸線を中心としてらせん状に延びる。流体を高速で撹拌し、あるいは流体によって高速回転する羽根車の強度を従来よりも向上させることできる。
【発明の効果】
【００２６】
本発明の回転体によれば、回転方向の強度の向上と軽量化を両立させることができる。また本発明の歯車によれば、歯厚を従来よりも大きくして、歯の強度を従来よりも大きくすることができる。したがって歯車の小型化に寄与し、ひいては省エネルギー化に資する。
【図面の簡単な説明】
【００２７】
【図１】本発明の一実施形態になるギヤを示す正面図である。
【図２】本発明の一実施形態になるピニオンを示す正面図である。
【図３】同実施形態のピニオンおよびギヤの噛合を模式的に示す断面図である。
【図４】同実施形態のピニオンおよびギヤの歯形を示す断面図である。
【図５】図４の境界部分を拡大して示す断面図である。
【図６】変形例の境界部分を拡大して示す断面図である。
【図７】他の変形例の境界部分を拡大して示す断面図である。
【図８】さらに他の変形例の境界部分を拡大して示す断面図である。
【図９】さらに他の変形例の境界部分を拡大して示す断面図である。
【図１０】本発明の他の実施形態になる内歯歯車を示す断面図である。
【図１１】本発明のさらに他の実施形態になる羽根車を示す断面図である。
【図１２】従来の歯車の歯形を示す断面図である。
【発明を実施するための形態】
【００２８】
以下、本発明の実施の形態を、図面に基づき詳細に説明する。図１は、本発明の第１実施形態になるギヤを示す正面図である。図２は、本発明の第１実施形態になるピニオンを示す正面図である。ギヤ１０およびピニオン２０は共にかさ歯車であるが、ギヤ１０は相対的に大径であって多くの歯１１を有し、ピニオン２０は相対的に小径であって少ない歯２１を有する。これらギヤ１０およびピニオン２０は、図３の縦断面図に示すように直交に配置されて互いに噛合する。ギヤ１０の回転軸線Ｏｍおよびピニオン２０の回転軸線Ｏｎは直角に交差する。図３には歯１１および歯２１の歯すじ全体が表される。また歯１１，２１同士が最も深く噛み合う様子が模式的に表される。
【００２９】
図４は、同実施形態のピニオンおよびギヤの歯形を示す横断面図であり、歯１１，２１の歯すじに直角な断面を表す。ギヤ１０の各歯１１およびピニオン２０の各歯２１は、歯すじに直角な断面に関し、歯先３１および歯底３７を有する。また歯１１，２１は、歯先３１および歯底３７間の歯形として順次、かみ合い歯面３２、すみ肉表面３４、歯底面３６を有する。かみ合い歯面３２、すみ肉表面３４、歯底面３６は歯１１，２１が先細になるよう形成される。先細とは、歯１１，２１の歯厚が、歯元側で大きく、歯先側で小さいことをいう。歯厚とは、各歯における、円周方向一方歯面から他方歯面までの寸法をいう。
【００３０】
歯先３１は、図４に示すように歯先側へ向かって膨らんだ円筒の断面形状であるが、図示しない変形例として歯底側へ向かって窪んだ曲線であってもよい。かみ合い歯面３２は、図４に示す基礎円Ｃｆによって規定されるインボリュート曲線である。あるいは図示しない変形例としてかみ合い歯面３２は、円弧であってもよいし、他の自由曲線であってもよい。いずれにせよかみ合い歯面３２は膨らみ曲線に形成されるものであればよい。またかみ合い歯面３２は、歯車のピッチ円Ｃｐの歯先側および歯元側に跨って設けられる。
【００３１】
かみ合い歯面３２とすみ肉表面３４は、両者の境界部分３３で接続する。図５は、図４の境界部分３３を拡大して示す断面図である。図４および図５に示すようにかみ合い歯面３２からすみ肉表面３４まで連続する断面線は境界部分３３で折れ線となる。またかみ合い歯面３２とすみ肉表面３４を含む歯形は境界部分３３で窪んでいる。
【００３２】
すみ肉表面３４は相手の歯車と接触しない面と理解されたい。このためすみ肉表面３４の選定は、相手歯車の歯の歯先軌跡を計算し、当該歯先軌跡と干渉しないよう歯車の内径側に回避して設けられる。
【００３３】
これに対しかみ合い歯面３２は、相手の歯車と接触する面と理解されたい。但しかみ合い歯面３２の歯先３１近傍部分は、相手の歯車と接触するとは限られない。
【００３４】
本実施形態の境界部分３３は基礎円Ｃｆと交差する。あるいは図示しない変形例として境界部分３３は基礎円Ｃｆと不一致であってもよい。
【００３５】
図４に示すようにすみ肉表面３４は、円弧や自由曲線等の窪み曲線に形成される。すみ肉表面３４と歯底面３６は、両者の境界３５で折れ線とならないよう滑らかに接続する。本実施形態の歯底面３６は、すみ肉表面３４から延出する歯底側のすみ肉表面であるが、すみ肉表面を歯先側と歯底側で区別するため、歯先側のすみ肉表面を単にすみ肉表面３４と称し、歯底側のすみ肉表面を別称として歯底面３６と呼ぶ。
【００３６】
すみ肉表面３４および歯底面３６は、歯先側の端（境界部分３３）から歯底３７に向かって延びる窪み曲線であり、例えば曲率半径一定の円弧である。あるいは仮想線で示す変形例として境界３５´で折れ線とし、隣り合う境界３５´，３５´を歯底円３６´でつないでもよい。なお歯底円３６´は、回転軸線Ｏｍ，Ｏｎを中心とする円弧になる。
【００３７】
説明を境界部分３３に戻して、すみ肉表面３４のうち境界部分３３に隣接する部分の接線であるすみ肉側接線Ｌｃと、かみ合い歯面３２のうち境界部分３３に隣接する部分の接線であるかみ合い側接線Ｌｒに着目する。図５に示すようにかみ合い側接線Ｌｒに対し、広がる方向を＋とし、狭まる方向を−とする。すみ肉側接線Ｌｃがかみ合い側接線Ｌｒに対し−の角度で狭まるよう交差する場合、境界部分３３近傍のすみ肉表面３４における歯厚は歯底に向かう程小さくなる。これに対しすみ肉側接線Ｌｃがかみ合い側接線Ｌｒに対し＋の角度で広がるよう交差する場合、境界部分３３近傍のすみ肉表面３４における歯厚は歯底に向かう程大きくなる。
【００３８】
本実施形態では、すみ肉側接線Ｌｃが、かみ合い側接線Ｌｒに対し、＋５度以上＋８５度以下の範囲に含まれる所定角度αをなして広がるよう配置される。本実施形態ではα＝１０．５度をなす。
【００３９】
ところで本実施形態によれば、図４に示すように歯すじに直角な断面に関し、歯１１，２１の側面は、膨らみ曲線に形成されるかみ合い歯面３２と、窪み曲線に形成されるすみ肉表面３４と、かみ合い歯面３２およびすみ肉表面３４を接続する境界部分３３とを含み、すみ肉表面３４のうち境界部分３３に隣接する部分に規定される接線であって歯車１０，２０の歯底側へ延びるすみ肉側接線Ｌｃが、かみ合い歯面３２のうち境界部分３３に隣接する部分に規定される接線であって歯車１０，２０の歯底側へ延びるかみ合い側接線Ｌｒに対し、＋５度以上＋８５度以下の範囲に含まれる所定角度αで広がるように配置される。これによりかみ合い面３２からすみ肉表面３４までの形状において、従来に無い歯元の丸み形状が実現する。そして歯１１，２１の歯底の歯厚を従来よりも大きくすることが可能となり、歯車の円周方向に作用する外力に対する歯１１，２１の強度が向上する。したがってギヤ１０およびピニオン２０の直径を従来よりも小さくし得て、歯車の小型化および省エネルギー化に寄与する。
【００４０】
本実施形態によれば、歯すじに直角な断面に関し、すみ肉表面３４は、窪み曲線に形成される歯底面３６と接続する。これにより、歯底近傍の歯厚を従来よりも大きくすることが可能となり、歯車の円周方向に作用する外力に対する歯１１，２１の強度が向上する。
【００４１】
本実施形態では歯すじが直線状に延びるギヤ１０およびピニオン２０につき説明したが、図示しない変形例として図４に示す本発明の歯形は、歯すじがらせん（螺旋）状あるいは他の曲線状に延びる歯車にも適用可能である。あるいは図示しない他の変形例として図４に示す本発明の歯形は、かさ歯車の他、平行軸歯車、食い違い軸歯車、あるいは直交軸歯車にも適用可能である。
【００４２】
ここで附言すると、図４に示す本発明の歯形は、図１に示す小端部１２から大端部１３まで延びる歯すじのうちいずれかの箇所における断面を表すところ、すみ肉表面３４の曲率は、歯すじ方向に一定であってもよいし、あるいは歯すじ方向に変化するものであってもよい。歯すじ方向に変化するとは例えばすみ肉表面３４の曲率が、歯すじの小径側端になる小端部１２から歯すじの大径側端になる大端部１３に向かって徐々に大きくなるものや、あるいは徐々に小さくなるものをいう。
【００４３】
本実施形態のギヤ１０およびピニオン２０は車両の左右輪にトルクを分配するディファレンシャルギヤ装置に適用される。これによりディファレンシャルギヤ装置を従来よりも小型化・軽量化して、車両の低燃費化に寄与する。
【００４４】
本実施形態では、ギヤ１０およびピニオン２０が図４に示す歯形を有するが、他にもピニオン２０のみが図４に示す歯形を有し、ピニオン２０は従来の歯形を有するギヤに噛合してもよい。あるいはギヤ１０のみが図４に示す歯形を有し、ギヤ１０は従来の歯形を有するピニオンに噛合してもよい。
【００４５】
次に図５に示す実施形態の変形例を図６〜図８に示す。前述した実施形態では図５に断面で示すようにかみ合い歯面３２からすみ肉表面３４までの断面線が境界部分３３で折れ点となる。
【００４６】
これに対し図６に断面で示す本発明の変形例では、かみ合い歯面３２からすみ肉表面３４までの断面線において境界部分３３を線状の領域とし、境界部分３３で折れ線とならないようかみ合い歯面３２およびすみ肉表面３４を滑らかに接続してもよい。
【００４７】
あるいは図７に断面で示す本発明の変形例では、かみ合い歯面３２の断面線を直線とし、境界部分３３の断面線を窪んだ折れ点、または図６に示すような線状の領域とする。
【００４８】
あるいは図８に断面で示す本発明の変形例では、かみ合い歯面３２の断面線をくぼみ曲線とし、境界部分３３の断面線を窪んだ折れ点、または図６に示すような線状の領域とする。
【００４９】
図５〜図８に示す例は、外歯歯車および内歯歯車に適用可能である。図９は本発明の第２実施形態になる内歯歯車を示す断面図であり、前述の図８に対応する。図９に示す実施形態において、図４に示す実施形態と同様の部分には共通する符号を付して説明を省略する。
【００５０】
図９に示す実施形態によれば、内歯歯車においても、従来には無い歯元の丸み形状を実現することができる。
【００５１】
図４に示すかみ合い歯面３２からすみ肉表面３４までの形状は、歯車の他、スプラインにも適用可能である。図１０は本発明の第３実施形態になるスプラインを示す断面図であり、第３実施形態では、歯６１を備える円筒部材６０のスプライン孔に、歯５１を備えるスプライン軸５０を挿入し、両者を相対回転不能にスプライン嵌合させる。歯５１，６１の側面は、前述の図５〜図８のいずれかに対応する。
【００５２】
図１０に示す実施形態によれば、スプラインにおいても、従来には無い歯元の丸み形状を実現することができ、スプラインのトルク伝達強度を向上させ、スプラインの軽量化に資する。
【００５３】
図４に示すかみ合い歯面３２からすみ肉表面３４までの形状は、歯車および歯車に類似する回転体の他、羽根車にも適用可能である。図１１に縦断面で示す羽根車４０は羽根４１および基部４２を備える。羽根４１は基部４２の正面に複数立設され、回転軸線Ｏｐに関し周方向に間隔を空けて配置される。各羽根４１の両面あるいは片面は、前述の図５〜図８のいずれかに対応する。また、前述の歯車は羽根車と、前述の歯は羽根と、前述のかみ合い歯面は先端側羽根面と、前述のすみ肉表面は根元側羽根面と、前述の歯すじは羽根すじと、前述のすみ肉側接線は根元側接線と、前述のかみ合い側接線は先端側接線と読み替えられる。
【００５４】
図１１に示す実施形態によれば、羽根車においても、従来には無い根元の丸み形状を実現することができ、各羽根４１の強度を向上させ、羽根車４０の軽量化に資する。羽根４１の羽根すじは、直線状に延びるものであってもよいし、あるいは回転軸線Ｏｐを中心としてらせん状に延びるものであってもよい。
【００５５】
以上、図面を参照してこの発明の実施の形態を説明したが、この発明は、図示した実施の形態のものに限定されない。図示した実施の形態に対して、この発明と同一の範囲内において、あるいは均等の範囲内において、種々の修正や変形を加えることが可能である。
【産業上の利用可能性】
【００５６】
この発明になる回転体は、機械要素において有利に利用される。
【符号の説明】
【００５７】
１０  ギヤ、      １１  歯、      １２  小端部、      １３  大端部、      
２０  ピニオン、      ２１  歯、      ３１  歯先、      ３２  かみ合い歯面、  
３３  境界部分、      ３４  すみ肉表面、      ３５  境界、      
３６  歯底面、      ３７  歯底、      ４０  羽根車、      ４１  羽根、      
４２  基部、      ５０  スプライン軸、      ５１  歯、      ６０  円筒部材、  
６１  歯、      Ｏｍ，Ｏｎ，Ｏｐ  回転軸線、    Ｌｃ  すみ肉側接線、  
Ｌｒ  かみ合い側接線、      α  交差角度。
【図１】
2018035873.tif 000003
【図２】
2018035873.tif 000004
【図３】
2018035873.tif 000005
【図４】
2018035873.tif 000006
【図５】
2018035873.tif 000007
【図６】
2018035873.tif 000008
【図７】
2018035873.tif 000009
【図８】
2018035873.tif 000010
【図９】
2018035873.tif 000011
【図１０】
2018035873.tif 000012
【図１１】
2018035873.tif 000013
【図１２】
2018035873.tif 000014